(57)【要約】【課題】本考案は、ＵＳＢコネクタ金属ハウジング構造を提供する。【解決手段】底板と二つの側板及び頂板があり、該二つの側板が、該底板の両側から上へ延ばして形成され、該頂板が、該二つの側板の前半部の上端に連結され、該ハウジング部の頂部において、後半部に、開口が形成されるハウジング部と、一体成型に該ハウジング部に連結され、該開口に嵌設できる蓋体部と、が含有され、これにより、材料コストと金型コストを節約でき、生産効率が向上され、また、より良い電磁遮蔽効果が得られるＵＳＢコネクタ金属ハウジング構造である。【選択図】図１
0003139061.tif 000002
【実用新案登録請求の範囲】
【請求項１】
底板と二つの側板及び頂板があり、該二つの側板が、該底板の両側から上へ延ばして形成され、該頂板が、該二つの側板の前半部の上端に連結され、該ハウジング部の頂部において、後半部に、開口が形成されるハウジング部と、
一体成型に該ハウジング部に連結され、該開口に嵌設できる蓋体部と、
が含有される、
ことを特徴とするＵＳＢコネクタ金属ハウジング構造。
【請求項２】
該ハウジング部の底板において、後端の両側の近くに、それぞれ、係合孔が設けられ、該蓋体部において、後端の両側から裏板が延ばし、該裏板の一端に、係合体が形成され、該蓋体部が、該開口に嵌設された後、該二つの裏板により、該ハウジング部の後端が封止され、また、該係合体が、該係合孔に係合することを特徴とする請求項１に記載のＵＳＢコネクタ金属ハウジング構造。
【請求項３】
該底板の後端に、第１の覆い挟みシートが連結されることを特徴とする請求項１に記載のＵＳＢコネクタ金属ハウジング構造。
【請求項４】
該蓋体部の前端が、連結部により、該頂板の後端に連結されることを特徴とする請求項１に記載のＵＳＢコネクタ金属ハウジング構造。
【請求項５】
該蓋体部の後端に、第２の覆い挟みシートが連結されることを特徴とする請求項１に記載のＵＳＢコネクタ金属ハウジング構造。
【請求項６】
該蓋体部の後端において、両側からそれぞれ、裏板が延ばし、該二つの裏板の一端に、突起が形成され、該ハウジング部の二つの側板の後端の上縁に、それぞれ、係合槽が設けられ、該蓋体部が該開口に嵌設された後、該突起が、該係合槽に係合されることを特徴とする請求項１に記載のＵＳＢコネクタ金属ハウジング構造。
【請求項７】
該蓋体部は、二つの蓋片があり、該二つの蓋片の一側が、それぞれ、連結部により、該二つの側板の上端に連結されることを特徴とする請求項１に記載のＵＳＢコネクタ金属ハウジング構造。
【請求項８】
該二つの蓋片が互いに連結する一側に、それぞれ、対応する突起と係合槽が設けられ、該蓋体部の二つの蓋片が嵌設された後、該突起が、該係合槽に係合されることを特徴とする請求項７に記載のＵＳＢコネクタ金属ハウジング構造。
【請求項９】
該ＵＳＢコネクタは、ＡタイプやＢタイプ或いはミニタイプの規格であることを特徴とする請求項１に記載のＵＳＢコネクタ金属ハウジング構造。
【請求項１０】
該ＵＳＢコネクタは、ワイヤケーブルコネクタであることを特徴とする請求項１に記載のＵＳＢコネクタ金属ハウジング構造。
【考案の詳細な説明】
【技術分野】
【０００１】
本考案は、金属ハウジングに関し、特に、ＵＳＢコネクタに適用され、低コスト化され、生産効率を向上でき、より良い電磁遮蔽効果が得られるＵＳＢコネクタ金属ハウジング構造に関する。
【背景技術】
【０００２】
電子設備の小型化と多機能化とともに、電気コネクタに対する要求が厳しくなり、より良い信号伝送能力を有するだけでなく、構造の小型化と簡素化等が要求され、現在、ユニバーサルシリアルバス（Ｕｎｉｖｅｒｓａｌ  Ｓｅｒｉａｌ  Ｂｕｓ、ＵＳＢ）コネクタは、常用された入力/出力インターフェースとなり、市場に登場したＵＳＢコネクタは、Ａタイプ（Ａ  ＴＹＰＥ）やＢタイプ（Ｂ  ＴＹＰＥ）及びミニタイプ（ＭＩＮＩ  ＴＹＰＥ）等の規格があり、また、該ＵＳＢコネクタは、ワイヤケーブルコネクタとして、ワイヤケーブルの一端に連結されることができる。
【０００３】
上記の従来のＵＳＢコネクタは、絶縁本体と複数の端子及び金属ハウジングがあり、それらの端子が、該絶縁本体上に実装され、該金属ハウジングが、該絶縁本体の外部に覆うことにより、より良い保護と電磁遮蔽効果が得られる。
【０００４】
しかしながら、上記の従来のＵＳＢコネクタは、その金属ハウジングが、二枚式設計で、材料コストが高くなり、また、それぞれ、二つの金型が必要とされるため、金型コストが増大される。また、二枚式設計である金属ハウジングは、組立てに、より多い工程と時間が必要とするため、自動化生産に不利であり、電磁遮蔽効果も悪い。
【０００５】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００６】
本考案の主な目的は、材料コストと金型コストを節約でき、生産効率が向上され、また、より良い電磁遮蔽効果が得られるＵＳＢコネクタ金属ハウジング構造を提供する。
【課題を解決するための手段】
【０００７】
本考案は、上記の目的を達成するため、底板と二つの側板及び頂板があり、該二つの側板が、該底板の両側から上へ延ばして形成され、該頂板が、該二つの側板の前半部の上端に連結され、該ハウジング部の頂部において、後半部に、開口が形成されるハウジング部と、一体成型に該ハウジング部に連結され、該開口に嵌設できる蓋体部と、が含有されるＵＳＢコネクタ金属ハウジング構造である。
【０００８】
本考案によれば、本考案の蓋体部が、一体成型にハウジング部に連結されるため、該金属ハウジングが、一体成型である構造であり、材料コストと金型コストを節約できるため、一体成型による設計で、組立てが簡単で、自動化生産に有利し、有効に生産効率を向上でき、より良い電磁遮蔽効果が得られる。
【０００９】
以下、図面を参照しながら、本考案の特徴や技術内容について、詳しく説明するが、本考案は、それらによって制限されることがない。
【考案を実施するための最良の形態】
【００１０】
図１乃至図３を参照しながら、本考案は、ＵＳＢコネクタ金属ハウジング構造であり、本実施例において、ＡタイプであるＵＳＢコネクタの金属ハウジングで、該金属ハウジングは、ハウジング部１と蓋体部２が備えられ、該ハウジング部１は、底板１１と二つの側板１２及び頂板１３が備えれ、該底板１１は、略長方形の板体であり、該二つの側板１２は、底板１１の両側から上へ延ばして形成され、該頂板１３は、該二つの側板１２の前半部上端に連結され、該ハウジング部１の前端と後端に開口が形成され、また、該ハウジング部１の頂部の後半部に、開口１４が形成され、これにより、ＵＳＢコネクタの絶縁本体（弾性コア）を実装することが便利になる。該ハウジング部１の底板１１の後端において、両側の近くに、それぞれ、係合孔１５が設けられ、該底板１１の後端に、ワイヤケーブルを覆い挟む第１の覆い挟みシート１６に連結される。
【００１１】
該蓋体部２は、一体成型にハウジング部１に連結され、約長方形の板体であり、前端が、連結部２１により、頂板１３の後端に連結され、該蓋体部２が、該ハウジング部１の開口１４に対して、嵌設や開くことができ、該蓋体部２が、開口１４に嵌設された後、ハウジング部１と蓋体部２により、完全な金属ハウジングになる。該蓋体部２の後端において、それぞれ、両側から裏板２２が延ばし、該裏板２２の一端に、係合体２３が形成され、該係合体２３が、係合孔１５に対応する。該蓋体部２が開口１４に嵌設された後、該二つの裏板２２により、ハウジング部１の後端を封止し、また、係合体２３が、対応する係合孔１５に係合することにより、該蓋体部２が、堅くハウジング部１上に嵌設される。該蓋体部２の後端に、ワイヤケーブルを覆い挟む第２の覆い挟みシート２４が連結され、上記の構造により、本考案のＵＳＢコネクタハウジング構造が構成される。
【００１２】
図２と図３のように、ＵＳＢコネクタの絶縁本体が取り付けられる前、該金属ハウジングの蓋体部２が開く状態で、絶縁本体が、該金属ハウジングの内部に取り付けられた後、蓋体部２を、ハウジング部１の開口１４に嵌設し、これにより、該金属ハウジングが、該絶縁本体の外部に覆うようになる。また、係合体２３が、対応する係合孔１５に係合することにより、該蓋体部２が、堅くハウジング部１上に嵌設される。また、ＵＳＢコネクタの端子に電気的に接続されるワイヤケーブルを、第１の覆い挟みシート１６と第２の覆い挟みシート２４との間に位置させ、該二つの覆い挟みシート１６と２４により、ワイヤケーブルの外部に固定することにより、ＵＳＢコネクタが、ワイヤケーブルに連結される。
【００１３】
図４と図５を参照しながら、本実施例において、ＢタイプであるＵＳＢコネクタの金属ハウジングであり、上記の実施例とは、規格が異なることであり、その蓋体部２の後端に位置する二つの裏板２２の一端に、それぞれ、突起２５が形成され、該ハウジング部１の二つの側板１２の後端上縁に、それぞれ、係合槽１７が設けられ、該蓋体部２が開口１４に嵌設された後、突起２５が対応する係合槽１７に係合し、これにより、該蓋体部２が、堅くハウジング部１上に嵌設される。
【００１４】
図６と図７を参照しながら、本実施例において、ミニタイプであるＵＳＢコネクタの金属ハウジングであり、上記の実施例とは、規格が異なることであり、その蓋体部２が、二つの蓋片２６からなり、該二つの蓋片２６の一側が、それぞれ、連結部２１により二つの側板１２の上端に連結され、これにより、該二つの蓋片２６が、該ハウジング部１の開口１４に対して、嵌設や開くことができる。該二つの蓋片２６が、互いに隣接する一側に、それぞれ、対応する突起２７と係合槽２８が設けられ、該蓋体部２の二つの蓋片２６が嵌設された後、該突起２７が、対応する係合槽２８に係合され、これにより、該蓋体部２が、堅くハウジング部１上に嵌設される。
【００１５】
本考案の蓋体部２は、一体成型に、該ハウジング部１に連結されるため、該金属ハウジングが、一体成型である構造になり、作製する時、材料コストと金型コストを節約できる。また、一体成型の金属ハウジングであるため、組立てが簡単になり、自動化生産に有利し、有効に、生産効率が向上され、また、より良い電磁遮蔽効果が得られる。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の第１の実施例の金属ハウジングの斜視図
【図２】本考案の第１の実施例の金属ハウジングが開かれた状態の上面図
【図３】本考案の第１の実施例の金属ハウジングが開かれた状態の側面図
【図４】本考案の第２の実施例の金属ハウジングの斜視図
【図５】本考案の第２の実施例の金属ハウジングが開かれた状態の側面図
【図６】本考案の第３の実施例の金属ハウジングの斜視図
【図７】本考案の第３の実施例の金属ハウジングの上面図
【符号の説明】
【００１８】
１        ハウジング部
１１      底板
１２      側板
１３      頂板
１４      開口
１５      係合孔
１６      第１の覆い挟みシート
１７      係合槽
２        蓋体部
２１      連結部
２２      裏板
２３      係合体
２４      第２の覆い挟みシート
２５      突起
２６      蓋片
２７      突起
２８      係合槽
【図１】
0003139061.tif 000003
【図２】
0003139061.tif 000004
【図３】
0003139061.tif 000005
【図４】
0003139061.tif 000006
【図５】
0003139061.tif 000007
【図６】
0003139061.tif 000008
【図７】
0003139061.tif 000009